(57)【特許請求の範囲】
【請求項１】
蓋本体の裏面に施錠手段を設け、前記蓋本体を支持する受枠に前記施錠手段と係合する係止手段を設けた地下構造物用蓋の施錠構造において、
前記係止手段は、
前記受枠内面に設けられた凹部と、前記凹部の上部に突設された係止部と、前記凹部の下部から該受枠内方に突設された棚部とからなり、
前記施錠手段は、
前記蓋本体の裏面に垂設されたブラケットに前記凹部に臨んで横設固定された支持軸と、この支持軸を挿通させた施錠鉤とからなり、
前記施錠鉤は、
前記支持軸が挿通されて上下方向に移動可能なスライド溝と、前記棚部に載置されたときに前記凹部に収納され、揚圧等による蓋本体上昇時に前記係止部と係合して施錠される係合爪部と、閉蓋状態で施錠鉤を前記棚部に載置したときに前記支持軸よりも上方に位置し、蓋本体の開閉操作時に前記支持軸を取り込んで該施錠鉤を支持軸回りに傾動させるスライド溝の少なくとも中途に形成した傾動部と、施錠鉤を前記支持軸回りに傾動不能とする前記傾動部を除くスライド溝に形成した傾動不能部と、前記開蓋操作時に前記受枠の内面に当接して該施錠鉤の傾動支点となる当接部とが設けられた
ことを特徴とする地下構造物用蓋の施錠構造。
【請求項２】
前記傾動部は、スライド溝の中途に開蓋操作時に支持軸を取り込んで該施錠鉤を前記支持軸回りに傾動可能とする第１傾動部を形成するとともに、スライド溝の下端に閉蓋操作時に前記支持軸を取り込んで該施錠鉤を前記支持軸回りに傾動可能とする第２傾動部を形成し、閉蓋状態において、支持軸が第１傾動部と第２傾動部との間の傾動不能部に位置することを特徴とする請求項１に記載の地下構造物用蓋の施錠構造。
【請求項３】
前記支持軸は、断面形状が前記スライド溝よりも僅かに幅狭い矩形をなすことを特徴とする請求項１または２に記載の地下構造物用蓋の施錠構造。
【請求項４】
前記施錠鉤の当接部は、スライド溝の中途に形成した傾動部と略同じ高さ位置若しくは僅かに低い位置に形成されていることを特徴とする請求項１乃至３に記載の地下構造物用蓋の施錠構造。
【請求項５】
前記傾動部は、スライド溝の前記係合爪側の内面が略円弧状に切り欠かれて形成されていることを特徴とする請求項１乃至４に記載の地下構造物用蓋の施錠構造。
【請求項６】
前記支持軸は、前記傾動部の内面と当接する角部が曲面をなしていることを特徴とする請求項１乃至５に記載の地下構造物用蓋の施錠構造。
【発明の詳細な説明】
【０００１】
【発明の属する技術分野】
本発明は、地下構造物用蓋の施錠構造に関し、詳しくは蓋本体とこの蓋本体を支持する受枠とを施錠可能にする地下構造物用蓋の施錠構造に関する。
尚、本願明細書でいう「地下構造物用蓋」とは、下水道における地下埋設物、地下構造施設等と地上とを通じる開口部を閉塞する大型鉄蓋、マンホール蓋、汚水桝蓋、電力・通信における地下施設機器や地下ケーブル等を保護する開閉可能な共同溝用鉄蓋、送電用鉄蓋、配電用鉄蓋、上水道やガス配管における路面下の埋設導管およびその付属機器と地上とを結ぶ開閉扉としての機能を有する消火栓蓋、制水弁蓋、仕切弁蓋、空気弁蓋、ガス配管用蓋、量水器蓋等を総称する。
【０００２】
【従来の技術】
各種の地下構造物用蓋は、地下構造物の上端に設置されて路面等の地上に開口する受枠と、該受枠にテーパ嵌合等によって開口部を覆う蓋本体とを備え、蓋本体を蝶番構造によって受枠に取り付け、開蓋したときに該受枠に対して水平面内で旋回、または地面側に反転できるようにし、更に蓋本体と受枠とを施錠するための施錠構造を設けるものが一般的である。
【０００３】
受枠と蓋本体とを施錠するための施錠構造としては、例えば、実公昭６３−１５３９１号公報に記載されているものがある。この施錠構造は、受枠と係合して錠止する施錠鉤を蓋本体の裏面に回転可能に枢支した地下構造物用蓋において、蓋本体を貫通する螺杆を有した施錠鉤の揺動防止装置を取り付け、螺杆は、その上下両端に蓋本体に螺合する螺子を形成し、錠止時に該螺杆の下部側を施錠鉤に当接させるようにし、揺動防止装置により施錠鉤が揺動するのを防止して、地下構造物内部の乱流揚圧によって解錠されないように、錠止状態を確実に維持し、蓋本体が飛散することを防止するようにしたものである。
【０００４】
【発明が解決しようとする課題】
上述した施錠構造にあっては、揺動防止装置で施錠鉤の揺動を確実に防止して蓋本体が飛散することを防止しているが、開蓋する必要がある場合には、先ず揺動防止装置と施錠鉤との当接を解除した後、開蓋冶具のバールをバール孔に挿入させて施錠鉤のバール受圧部を押圧して解錠すると共に、蓋本体と受枠との食い込み力を開放して開蓋しなければならないため、開蓋操作が煩わしいものであった。更に、消火栓鉄蓋、配電用鉄蓋、ガス配管用鉄蓋等の地下構造物用蓋を緊急時に開蓋する必要がある場合には、開蓋操作に手間取ってしまい迅速に対応することが出来ないという問題がある。
【０００５】
本発明は、上述の点に鑑みてなされたもので、地下構造物内部の乱流揚圧によって解錠せず、開蓋する必要がある場合には、開蓋操作とは別の解錠操作を必要とせずに開蓋できるようにした地下構造物用蓋の施錠構造を提供することを目的とする。
【０００６】
【課題を解決するための手段】
本発明は、蓋本体の裏面に施錠手段を設け、前記蓋本体を支持する受枠に前記施錠手段と係合する係止手段を設けた地下構造物用蓋の施錠構造において、前記係止手段は、前記受枠内面に設けられた凹部と、前記凹部の上部に突設された係止部と、前記凹部の下部から該受枠内方に突設された棚部とからなり、前記施錠手段は、前記蓋本体の裏面に垂設されたブラケットに前記凹部に臨んで横設固定された支持軸と、この支持軸を挿通させた施錠鉤とからなり、前記施錠鉤は、前記支持軸が挿通されて上下方向に移動可能なスライド溝と、前記棚部に載置されたときに前記凹部に収納され、揚圧等による蓋本体上昇時に前記係止部と係合して施錠される係合爪部と、閉蓋状態で施錠鉤を前記棚部に載置したときに前記支持軸よりも上方に位置し、蓋本体の開閉操作時に前記支持軸を取り込んで該施錠鉤を支持軸回りに傾動させるスライド溝の少なくとも中途に形成した傾動部と、施錠鉤を前記支持軸回りに傾動不能とする前記傾動部を除くスライド溝に形成した傾動不能部と、前記開蓋操作時に前記受枠の内面に当接して該施錠鉤の傾動支点となる当接部とが設けられたことを特徴とする。
【０００７】
このような構成とすることで、閉蓋状態において、地下構造物内部の乱流揚圧によっても施錠鉤は傾動しないし、また、受枠に支持されている蓋本体が真上に押し上げられると、該蓋本体と共に支持軸が施錠鉤のスライド溝内を上方に移動し、該スライド溝の上端に当接して該施錠鉤を真上に持ち上げる。施錠鉤は、スライド溝に形成した傾動部を除く傾動不能部に支持軸が位置しているときには傾動しないため、凹部に収納されている係合爪部が係止部に係合される。これにより蓋本体が受枠にロックされ、飛散するのを防止している。
【０００８】
開蓋操作により蓋本体が斜め上方に持ち上げられると、支持軸が施錠鉤のスライド溝内を上動して傾動部に入り込むと共に、当接部が受枠の内面に当接して傾動支点として作用し、該施錠鉤の下部が受枠中心側に移動するように支持軸回りに傾動され、係合爪部が係止部と係合不能とされて解錠される。これにより蓋本体の開蓋が可能となる。
【０００９】
閉蓋操作時にあっては、支持軸を施錠鉤の傾動部に入り込ませて該施錠鉤を支持軸回りに傾動し、係合爪部が受枠の内面に当接するように下降させ、更に係止部を乗り越えて下降させる。蓋本体が受枠に載置されると施錠鉤が棚部に載置されて支持され、係合爪部が凹部内に収納されて係止部と係合可能に対向される。
【００１０】
【発明の実施の形態】
本発明においては、傾動部は、スライド溝の中途に開蓋操作時に支持軸を取り込む第１傾動部を形成すると共に、下端には閉蓋操作時に支持軸を取り込む第２傾動部を形成し、閉蓋状態において、支持軸が第１傾動部と第２傾動部との間の傾動不能部に位置する構成としている。このような構成としたことによって、閉蓋状態での施錠鉤の傾動が防止されるとともに、閉蓋操作時に施錠鉤を受枠の上縁に載置して蓋本体を受枠内に斜め下方に落とし込むと、支持軸が第２傾動部に取り込まれて施錠鉤が傾動するため、施錠鉤が受枠内に落とし込まれて閉蓋を容易に行うことができる。
【００１１】
本発明では、前記支持軸は、断面形状が前記スライド溝よりも僅かに幅狭い矩形とされている。
支持軸の断面形状を矩形とすることで施錠鉤のスライド溝に沿って上下動し、施錠鉤が傾動するのを防止している。好ましくは、支持軸の断面形状をスライド溝の長手方向に沿って縦長の矩形とすることで、施錠鉤の傾動を良好に防止することができる。
【００１２】
更に、本発明では、施錠鉤の当接部は、スライド溝の中途に形成した傾動部と略同じ高さ位置若しくは僅かに低い位置に形成した構成としている。
このような位置に当接部を設けることによって、開蓋時に受枠の内面に当接して該施錠鉤の傾動支点として作用する場合に、施錠鉤の傾動を容易としている。更に、本発明では、前記傾動部は、スライド溝の係合爪側の内面を略円弧状に切り欠いた構成としたり、または、傾動部の内面と当接する支持軸の角部を曲面とした構成とすることによって、開蓋操作および閉蓋操作時における施錠鉤の支持軸回りの傾動を容易にしている。
【００１３】
また、傾動部の内面を略円弧状とするとともに、この内面と当接する支持軸の角部を曲面としておくことによって、両者が滑らかに摺動可能となり施錠鉤の支持軸回りの傾動がさらに容易となる。
（実施例）
図１は、本発明に係る地下構造物用蓋の施錠構造の断面図を示す。図１において地下構造物用蓋１は、受枠２と蓋本体３とにより構成された平面視円形としており、その上面が地上面（ＧＬ）と面一をなして設置されている。受枠２は、その内周上面をテーパ状とした蓋本体３との嵌合面２ａを形成し、蓋本体３は、縁巻３ａの外周面をテーパ状に縮径して嵌合面２ａに当接させている。この蓋本体３は、蝶番構造（図示せず）により受枠２に開閉可能に連結されており、受枠２に対して蓋本体３を持ち上げながら手前側に斜め上方に持ち上げ、水平旋回または反転させることで、開蓋可能としている。そして、受枠２と蓋本体３との間には、前記蝶番構造と反対側の位置に受枠２側に設けた係止手段５と蓋本体３側に設けた施錠手段６とからなる施錠構造４が設けられている。
【００１４】
尚、上述した蝶番構造は、例えば、受枠２の内周に環状の蝶番座を突出して設け、その中に蓋本体３の裏面に揺動可能に取り付けた蝶番金物を差し込んだ構造の地下構造物用蓋では周知のものが採用できる。この蝶番構造は、蝶番金物が蝶番座に差し込まれた状態において該蝶番座に対して前後方向にある程度の自由度を持つものであり、本実施例においてもこのような蝶番構造を備えることで、開蓋時には蓋本体３を手前側に斜め上方に引き上げることが可能となっている。また、蓋本体３は、地下構造物内部の乱流揚圧を受けたときには蝶番構造の長さ分だけ真っ直ぐに押し上げられる。
【００１５】
受枠２は、図２に示すようにその内周上面に蓋本体３を嵌合支持する嵌合面２ａを形成し、下部には段差部２ｃを介して該嵌合面２ａよりも僅かに小径の内周面２ｂを形成している。係止手段５は、内周面２ｂに形成されている凹部７と、該凹部７の開口下端に該受枠２の内方に向かって略水平に突設された棚部８と、凹部７の開口上端に周方向に沿って突設された係止部９とにより構成されている。尚、棚部８は、受枠２内を作業者が出入りする際に邪魔にならない程度の長さとされている。
【００１６】
蓋本体３は、図３に示すように上面３ｂの周縁部に受枠２の係止手段５と対応する位置に下方に袋状に膨出するバール孔３ｃが設けられている。そして、この蓋本体３の裏面には、バール孔３ｃを形成する袋部３ｄの左右両側、且つ縁巻３ａから僅かに内側位置に一対のブラケット１１、１１が下方に垂設されている。これらのブラケット１１、１１は、図１に示すように蓋本体３が受枠２に嵌合支持された閉蓋状態において、凹部７と離隔対向し、且つ下端が棚部８から僅かに離隔する。そして、各ブラケット１１の下部には多角形例えば、高さが幅よりも僅かに長い長方形の角孔１１ａが対向して穿設されている。
【００１７】
前記角孔１１ａには後述する施錠鉤１５のスライド溝１７に挿通する支持軸１２が横設されている。該支持軸１２は、ブラケット１１の角孔１１ａに嵌合挿通する断面形状が長方形の角柱をなし、且つブラケット１１、１１の外法と同じ長さに設定された軸部１２ａを形成するとともに、一端に頭部１２ｂが、他端にねじ部１２ｃが形成されている。そして、軸部１２ａの上面と蓋本体３の外側に臨む外側面とのなす角部が全長に亘り面取りされて曲面１２ｄとされている。
【００１８】
施錠鉤１５は、両側のブラケット１１、１１の間に収納可能とされ、鉤本体１５ａの上部両側には側部１５ｂ、１５ｂを立ち上げ、その中間には収納空間１５ｃを設けている。この収納空間１５ｃは、後述するように蓋本体３が閉蓋されているときに袋穴であるバール孔３ｃを形成する袋部３ｄを収納している。施錠鉤１５は、その横幅を凹部７の開口幅よりも僅かに短く設定し、前面下部に略Ｌ字状の係合爪部１６を前方に突出させるとともに、凹部７内に係止部９と対向して収納可能とされている。
【００１９】
施錠鉤１５には、鉤本体１５ａおよび上方に立ち上げた側部１５ｂ、１５ｂに上下方向に長いスライド溝１７が設けられている。このスライド溝１７は、支持軸１２の縦断面形状の幅よりも僅かに幅広く、支持軸１２が僅かな間隙を存して上下方向に移動可能とされている。そして、スライド溝１７の係止爪部１６側（前側）の内面１７ａには、上部に第１傾動部１８が、下端に第２傾動部１９が略円弧状に切欠されている。これらの第１傾動部１８は開蓋時に、第２傾動部１９は閉蓋時に、それぞれ支持軸１２を取り込んで、支持軸１２回りに施錠鉤１５を傾動可能としている。即ち、図５に示すように第１傾動部１８は、上部に円弧状をなす上面１８ａを、下部に傾斜面１８ｂを有している。また、第２傾動部１９は、上面１９ａを円弧状とした扇形状としている。
【００２０】
また、スライド溝１７の上端には上傾動不能部１７ｂを、スライド溝１７の第１傾動部１８と第２傾動部１９との間には下傾動不能部１７ｃを形成し、該上および下傾動不能部１７ｂ、１７ｃに支持軸１２が位置したとき、施錠鉤１５は、支持軸１２回りに傾動しないようにしている。
施錠鉤１５の両側部１５ｂ、１５ｂの前面上部には、第１傾動部１８と略対応する高さ位置に当接部１５ｄ、１５ｄが前方に膨出して形成されている。これらの当接部１５ｄ、１５ｄは、開蓋操作時に支持軸１２が施錠鉤１５の第１傾動部１８に取り込まれるとともに、受枠２に形成した凹部７の開口上端に形成した係止部９および嵌合面２ａに順次当接摺動することによって、施錠鉤１５が支持軸１２回りに傾動する際の傾動支点である。
【００２１】
図１、図３および図４に示すように施錠鉤１５は、ブラケット１１、１１の間に、係止爪部１６が凹部７内に収納されるように配置され、支持軸１２の軸部１２ａが一側のブラケット１１の角孔１１ａ、施錠鉤１５のスライド溝１７、他側のブラケット１１の角孔１１ａを挿通し、ねじ部１２ｃに座金１３を介してナット１４が螺合されて、頭部１２ｂとナット１４とにより固定される。
【００２２】
また、図５に示すように支持軸１２は、２点鎖線１２’で示すようにスライド溝１７の下端面に当接した位置において第２傾動部１９に入り込むことが可能とされ、また、支持軸１２は、第１傾動部１８の下端位置において傾斜面１８ｂに沿って該第１傾動部１８内に入り込むことが可能とされる。施錠鉤１５は、支持軸１２が第１傾動部１８、または第２傾動部１９に入り込んだときに該支持軸１２に対して傾動（回動）可能とされ、その他の位置即ち、実線で示すように支持軸１２がスライド溝１７の略中間に形成した下傾動不能部１７ｃに位置しているとき、または２点鎖線１２”で示すようにスライド溝１７の上端に形成した上傾動不能部１７ｂに位置しているときには傾動不能とされる。
【００２３】
図１に示すように地下構造物用蓋１の施錠構造４は、蓋本体３が受枠２に支持嵌合されて閉蓋されている状態において、施錠鉤１５が自重により垂下して棚部８に載置され、係合爪部１６が凹部７内に入り込み、且つ係止部９の下方に位置して該係止部９と係合可能に対向している。また、施錠鉤１５の当接部１５ｄが係止部９の端面に僅かに当接している。尚、当接部１５ｄは、係止部９の端面に当接している必要はなく、僅かに離隔していても良い。また、このような閉蓋状態において、支持軸１２は、施錠鉤１５に形成したスライド溝１７の下端との間に隙間を有するように下傾動不能部１７ｃに位置するとともに、施錠鉤１５の上端と蓋本体３の裏面との間には、前記支持軸１２とスライド溝１７下端との隙間よりも広い隙間を有している。
【００２４】
次に、図６乃至図８により施錠構造４の動作を説明する。
先ず、図６（ａ）〜（ｆ）を参照して地下構造物内部に発生した乱流揚圧が蓋本体３に作用して押し上げるときの施錠構造４のロック動作について説明する。図６（ａ）は、蓋本体３が受枠２に嵌合支持されている状態を示す。施錠鉤１５は、自重により棚部８に載置され、係合爪部１６が凹部７内に入り込み、係止部９の下方において該係止部９と対向している。この状態において、支持軸１２の下面が施錠鉤８のスライド溝１７の下端面よりも僅かに上方に位置し、該支持軸１２の上部が下傾動不能部１７ｃに位置していることから、施錠鉤１５の傾動が防止される。
【００２５】
この状態において、蓋本体３の裏面に乱流揚圧が作用した場合、施錠鉤１５は、棚部８によって揚圧を受けにくいだけでなく、支持軸１２が下傾動不能部１７ｃに位置していることから、不動状態のまま蓋本体３が（ｂ）図に矢印Ａで示すように真上に押し上げられて浮き上がると、これに伴い支持軸１２がスライド溝１７内を移動する。蓋本体３が更に押し上げられて（ｃ）図に示すように受枠２から外れて浮き上がると、支持軸１２がスライド溝１７の上端に形成した上傾動不能部１７ｂに当接する。
【００２６】
蓋本体３が更に押し上げられると、これに伴い（ｄ）図、（ｅ）図に示すように支持軸１２が施錠鉤１５を真上に引き上げる。このとき施錠鉤１５は、支持軸１２が上傾動不能部１７ｂに位置しているため傾動が防止されながら略直立な状態を保持して引き上げられ、係合爪部１６が、凹部７内を真上に移動する。そして、（ｆ）図に示すように施錠鉤１５の係合爪部１６が係止部９に係合すると、該施錠鉤１５が係止されて蓋本体３の浮上が阻止され、地下構造物内部の乱流揚圧による蓋本体３の飛散が防止される。
【００２７】
次に、図７（ａ）〜（ｆ）を参照して蓋本体３を開蓋する場合の施錠構造４の解錠動作について説明する。
作業者は、図１において、蓋本体３のバール孔３ｃに図示しない専用のバールの先端を挿入して受枠２と蓋本体３との食い込みを解除し、図７（ａ）に矢印Ｂで示すように該蓋本体３を手前側に引き寄せながら斜め上方に引き上げると、支持軸１２は、蓋本体３が斜め上方に引き上げられるに伴い施錠鉤１５のスライド溝１７内を下傾動不能部１７ｃの内面１７ａを摺動しながら上方に移動し、第１傾動部１８の傾斜面１８ｂを滑動して該第１傾動部１８内に入り込む。一方、施錠鉤１５は、未だ棚部８上に載置されており、係合爪部１６が係止部９と対向し、当接部１５ｄが係止部９の端面に当接している。
【００２８】
蓋本体３が更に斜め上方に引き上げられると、第１傾動部１８に形成した円弧状の上面１８ａが支持軸１２に形成した曲面１２ｄに対して摺動しながら（ｂ）図に示すように支持軸１２が施錠鉤１５を持ち上げ始める。このとき施錠鉤１５は、第１傾動部１８を力点、係止部９の端面に当接している当接面１５ｄを傾動支点として図中反時計方向に回動する力を受け、前側下端縁が棚部８を滑動しながら後方（反時計方向）に傾動する。蓋本体３が更に斜め上方に引き上げられると（ｃ）図に示すように施錠鉤１５は、更に傾動し、係合爪部１６が凹部７から抜け出して係止部９との係合を不能とされる。このとき施錠鉤１５の前側上端縁が嵌合面２ａに当接して施錠鉤１５の傾動が安定して保持される。
【００２９】
施錠鉤１５は、蓋本体３が斜め上方に引き上げられるに伴い（ｄ）図に示すように当接部１５ｄが係止部９の端面から嵌合面２ａに当接し、該嵌合面２ａを摺動しながら前記傾動状態を保持したまま引き上げられる。そして、係合爪部１６は、係止部９と僅かな間隙を存して該係止部９の内側（受枠２の内方寄り）を通り抜ける。
【００３０】
蓋本体３が更に斜め上方に引き上げられ、（ｅ）図に示すように施錠鉤１５の当接部１５ｄが受枠２の嵌合面２ａから外れると、係合爪部１６が嵌合面２ａと当接しながら引き上げられ、（ｆ）図に示すように受枠２の上端に載置される。以後、蓋本体３は、通常の開蓋操作により、水平旋回または反転によって開蓋される。
【００３１】
蓋本体３のバール孔３ｃは、袋状としたことにより、開蓋の際にバールで施錠鉤１５を直接操作することが出来ないため、上述したような受枠２の外側に斜め上方に引き上げる開蓋操作を行わないと施錠構造４を解錠させて開蓋することが出来ない。即ち、地下構造物の維持管理者等の当業者でない者が蓋本体３を真上に持ち上げようとしても図６に示すようにロックされて開蓋することができない。しかしながら、前記当業者は、開蓋する必要がある場合には上述したように一連の開蓋操作で即ち、開蓋操作とは別の解錠操作を必要とせずに容易に解錠させて開蓋することが出来る。
【００３２】
次に、図８（ａ）〜（ｆ）を参照して閉蓋する場合の施錠構造４の施錠動作を説明する。
蓋本体３を閉蓋する場合には、先ず、作業者が蓋本体３を持ち上げて図８（ａ）に示すように施錠鉤１５を受枠２の上端に直立するように載置する。この状態において、施錠鉤１５の上端面が蓋本体３の裏面から僅かに離隔するとともに、支持軸１２が下傾動不能部１７ｃを外れて下面が施錠鉤１５のスライド溝１７の下端面に当接し、第２傾動部１９内に入り込むことが可能とされることによって、施錠鉤１５が傾動可能とされている。
【００３３】
次いで、作業者が前記専用バールにより蓋本体３を蝶番側に押しながら受枠２内に（ｂ）図に矢印Ｃで示すように斜め下方に落とし込む。施錠鉤１５は、蓋本体３が押されるに伴い受枠２の上端面上を滑動し、（ｂ）図に示すように下面が上端面から外れると、受枠２の開口上端と当接している前側下端縁を傾動支点として図中時計方向（後方）に傾動し、これに伴い支持軸１２が第２傾動部１９内に入り込む。蓋本体３が斜め下方に落とし込まれるに伴い（ｃ）、（ｄ）図に示すように施錠鉤１５は、係合爪部１６が受枠２の嵌合面２ａを滑動しながら下降し、（ｅ）図に示すように施錠鉤１５の後側下端縁が棚部８に当接する。
【００３４】
そして、（ｆ）図に示すように蓋本体３が受枠２内に嵌合されて閉蓋されると、施錠鉤１５は、係合爪部１６が上方に略Ｌ字状に開口する形状とされているために係止部９と係合することなく簡単に乗り越えて図中反時計方向（前側）に回動し、下面が棚部８に当接して垂直に支持される。そして、施錠鉤１５の係合爪部１６が凹部７内に収納され、係止部９の下方に位置して該係止部９と係合可能に対向して施錠される。このように作業者は、閉蓋の際に蓋本体３を支持しながら受枠２に嵌合させるのではなく、受枠２の上端に施錠鉤１５が直立状態に載置されるように蓋本体３を置き、そのまま受枠２内に滑り込ませ（斜め下方に落とし込ませる）ようとする閉蓋の一連の操作で施錠を同時に行うことができる。
【００３５】
なお、閉蓋操作が容易となるように、傾動部として施錠鉤１５のスライド溝１７の下端に第２傾動部１９を設けたが、傾動部は第１傾動部１８だけでもよい。この場合の閉蓋操作は、受枠２上端に施錠鉤１５を載置した状態から蓋本体３を僅かに持ち上げて支持軸１２を第１傾動部１８に位置させ、手で施錠鉤１５を傾動させて受枠内周面２ａに施錠鉤１５を摺動させるようにして閉蓋する。
【００３６】
なお、上記実施例においては、蓋本体３のバール孔３ｃを袋状のバール孔としたが、これに限るものではなく、従来から一般に採用されている開放バール孔としても良い。しかしながら、実施例のように袋状のバール孔とした方が、当業者以外の第三者による開蓋を防止することが出来ると共に、雨水等の侵入を防止することが出来る点で好ましい。
【００３７】
また、上記実施例において、支持軸１２は、施錠鉤１５を上下方向に移動可能に、且つスライド溝１７の中途位置に形成した下傾動不能部１７ｃおよび上端に形成した上傾動不能部１７ｂにおいて傾動不能とするために、軸部１２ａを断面形状がスライド溝１７の長手方向に沿って上下方向に長い長方形をなす角柱としたが、これに限るものではなく、他の形状例えば、正方形、或いはスライド溝１７の長手方向に長い長円形状としても良い。
【００３８】
さらに、実施例では、蓋本体３と受枠２とを蝶番構造で連結し、反対側に施錠構造４を設けたが、蝶番構造に代えて施錠構造４を設けても良い。
【００３９】
【発明の効果】
本発明の地下構造物用蓋の施錠構造では、スライド溝の中途に設けた傾動部および開蓋操作時に受枠の内面に当接するようにした当接部を有することにより、蓋本体を受枠の外方向に引き上げると、スライド溝に挿通した支持軸が傾動部に取り込まれるとともに、当接部が受枠の内面に当接することによって施錠鉤の傾動による解錠を伴いながら、開蓋の一連の動作で容易に開蓋することができる。また、前記傾動部を除くスライド溝には施錠鉤が支持軸回りに傾動できない傾動不能部を形成したため、地下構造物内の揚圧で蓋本体が浮上したときには、支持軸がスライド溝の上端に位置するので施錠鉤は解錠されることがなく、受枠２に蓋本体をロックして飛散を確実に防止できる。
【００４０】
また、支持軸は、施錠鉤が棚部に載置された状態においてスライド溝の中途に形成した傾動部よりも下方に形成した傾動不能部に位置していることで、閉蓋状態において、施錠鉤の傾動が防止されるため、施錠鉤が施錠可能状態に安定に保持される。
また、スライド溝の下端に第２傾動部を有することにより、閉蓋の際には蓋本体を支持しながら受枠に支持させるのではなく、受枠上端に施錠鉤が直立載置されるように置き、そのまま受枠内側に蓋本体を滑り込ませる（落とし込ませ）ようにするだけで、支持軸を第２傾動部内に取り込んで施錠鉤が傾動するため容易に閉蓋することができるとともに施錠を同時に行うことができる。
【００４１】
また、支持軸の断面形状をスライド溝よりも僅かに幅狭い矩形とすることで、簡単な構造で確実に、且つ容易に施錠鉤を傾動不能に支持することが出来る。
また、施錠鉤の当接部を、スライド溝の中途に形成した傾動部と略同じ高さ位置若しくは僅かに低い位置に形成することで、施錠鉤の支持軸回りの傾動が容易となる。
【００４２】
更に、傾動部をスライド溝の係合爪側の内面を略円弧状に切り欠いた構成としたり、傾動部の内面と当接する支持軸の角部を曲面とすることで、施錠鉤の傾動部における支持軸回りの傾動が滑らかとなり、開蓋時の解錠、閉蓋時の施錠操作が確実に行われる。
【図面の簡単な説明】
【図１】本発明に係る地下構造物用蓋の施錠構造の断面図である。
【図２】図１の施錠構造の受枠に設けられた係止手段の斜視図である。
【図３】図１の施錠構造の蓋本体に設けられた施錠手段の分解斜視図である。
【図４】図３の施錠手段を組み立てた状態の正面図である。
【図５】図４の矢線Ｖ−Ｖに沿う断面図である。
【図６】図１に示す施錠構造の施錠時におけるロック動作を示す説明図である。
【図７】図１に示す施錠構造の開蓋時における解錠動作を示す説明図である。
【図８】図７に示す施錠構造の閉蓋時における施錠動作を示す説明図である。
【符号の説明】
１  地下構造物用蓋
２  受枠
２ａ  嵌合面
３  蓋本体
３ａ  縁巻
３ｃ  バール孔
３ｄ  袋部
４  施錠構造
５  係止手段
６  施錠手段
７  凹部
８  棚部
９  係止部
１１  ブラケット
１１ａ  角孔
１２  支持軸
１５  施錠鉤
１５ａ  鉤本体
１５ｂ  側部
１５ｃ  収納空間
１５ｄ  当接部
１６  係合爪部
１７  スライド溝
１７ｂ  上傾動不能部（傾動不能部）
１７ｃ  下傾動不能部（傾動不能部）
１８  第１傾動部（傾動部）
１９  第２傾動部（傾動部）
【図１】
0003575513.tif 000002
【図２】
0003575513.tif 000003
【図３】
0003575513.tif 000004
【図４】
0003575513.tif 000005
【図５】
0003575513.tif 000006
【図６】
0003575513.tif 000007
【図７】
0003575513.tif 000008
【図８】
0003575513.tif 000009